(57)【要約】【課題】施工誤差に対応可能なうえに、化粧材の選択枝が広く、優れた外観を創出することが可能な張出下空間の構造を提供する。【解決手段】建物から張り出される庇部３の張出し側が支柱４Ａ，４Ｂで支持される玄関ポーチ２である。  そして、支柱４Ａの周辺に配置される上下方向に延設される格子材５の上端５１ａが、庇部３の下面３ａに固定されたブラケット６に支持されるとともに、格子材５の下部には高さ調整機構が設けられている。【選択図】図１
2014070473.tif 000002
【特許請求の範囲】
【請求項１】
建物から張り出される張出部の張出し側が支柱で支持される張出下空間の構造であって、
少なくとも一箇所の前記支柱の周辺に配置される上下方向に延設される化粧材の上端が、前記張出部の下面に固定された取付部材に支持されるとともに、
前記化粧材の下部には高さ調整機構が設けられていることを特徴とする張出下空間の構造。
【請求項２】
前記取付部材は、前記張出部の下面に当接させる固定片を有し、前記固定片には長穴と丸穴が設けられていることを特徴とする請求項１に記載の張出下空間の構造。
【請求項３】
前記取付部材は、前記張出部の下面に当接させる固定片と、その固定片から垂下される垂下片と、その垂下片から水平方向に突出されるとともに取付側面が形成される取付部とを備えたことを特徴とする請求項１又は２に記載の張出下空間の構造。
【請求項４】
前記取付部には、一対の取付側面が設けられることを特徴とする請求項３に記載の張出下空間の構造。
【請求項５】
前記取付部の下端面が傾斜していることを特徴とする請求項３又は４に記載の張出下空間の構造。
【請求項６】
前記化粧材は、格子材であることを特徴とする請求項１乃至５のいずれか一項に記載の張出下空間の構造。
【請求項７】
前記化粧材は、少なくとも一部の下端が基盤面から離隔していることを特徴とする請求項１乃至６のいずれか一項に記載の張出下空間の構造。
【発明の詳細な説明】
【技術分野】
【０００１】
本発明は、建物の外部に設けられる玄関ポーチなどの張出下空間の構造に関するものである。
【背景技術】
【０００２】
従来、玄関ドアから離れた出隅部に格子材などの化粧材を配置して、玄関の目隠しにしたり、外観を向上させたりする玄関ポーチを備えた戸建て住宅が知られている（特許文献１，２など参照）。
【０００３】
特許文献１に開示された玄関ポーチでは、格子材の上部を庇部の側面に固定している。他方、特許文献２に開示された玄関フードは、庇部の下面にレールを設け、そのレールに玄関フードの上端に取り付けられたランナーを装着して吊り下げる構造としている。
【先行技術文献】
【特許文献】
【０００４】
【特許文献１】特開２００９−９１７５３号公報
【特許文献２】特開昭５７−６１１３１号公報
【発明の概要】
【発明が解決しようとする課題】
【０００５】
しかしながら特許文献２に開示されたような化粧材の上端を庇部の下面側で支持させる構造では、庇部と玄関土間との離隔と化粧材の高さとが正確に合っていなければ、化粧材が取り付けられなかったり、予期せぬ隙間が開いたりして美観が損なわれるおそれがある。
【０００６】
そこで、本発明は、施工誤差に対応可能なうえに、化粧材の選択枝が広く、優れた外観を創出することが可能な張出下空間の構造を提供することを目的としている。
【課題を解決するための手段】
【０００７】
前記目的を達成するために、本発明の張出下空間の構造は、建物から張り出される張出部の張出し側が支柱で支持される張出下空間の構造であって、少なくとも一箇所の前記支柱の周辺に配置される上下方向に延設される化粧材の上端が、前記張出部の下面に固定された取付部材に支持されるとともに、前記化粧材の下部には高さ調整機構が設けられていることを特徴とする。
【０００８】
ここで、前記取付部材は、前記張出部の下面に当接させる固定片を有し、前記固定片には長穴と丸穴が設けられている構成とすることができる。また、前記取付部材は、前記張出部の下面に当接させる固定片と、その固定片から垂下される垂下片と、その垂下片から水平方向に突出されるとともに取付側面が形成される取付部とを備えた構成であってもよい。
【０００９】
さらに、前記取付部には、一対の取付側面が設けられる構成とすることができる。また、前記取付部の下端面が傾斜していることが好ましい。そして、前記化粧材は、格子材とすることができる。また、前記化粧材は、少なくとも一部の下端が基盤面から離隔している構成とすることができる。
【発明の効果】
【００１０】
このように構成された本発明の張出下空間の構造は、建物から庇状に張り出された張出部の下面に取付部材を固定し、その取付部材に化粧材の上端を支持させる。そして、化粧材の下部には高さ調整機構が設けられている。
【００１１】
このため、張出部と玄関土間などの基盤面との離隔に多少の施工誤差が生じたとしても、優れた外観を創出可能な化粧材を任意に選択して配置することができる。
【００１２】
また、張出部の下面への固定片に長穴が設けられていれば、取付部材の平面位置も微調整することができる。さらに、取付部材に取付側面が形成されていれば、上下方向に延設される化粧材との接触面積を広く確保できるので、安定して固定させることができる。特に、取付側面を一対にすることによって、接触面積を倍増させることができる。
【００１３】
また、取付側面が設けられる取付部の下端面を傾斜させることによって、化粧材を装着しやすくすることができる。さらに、化粧材を格子材にすることで、張出下空間内の明るさを確保したままで、目隠しを行うことができる。
【００１４】
また、化粧材の少なくとも一部の下端を基盤面から離隔させた構造とすることで、掃除が容易になるとともに、化粧材の下部の汚れや腐蝕を低減することができる。
【図面の簡単な説明】
【００１５】
【図１】本発明の実施の形態の玄関ポーチを備えた住宅の構成を説明する斜視図である。
【図２】格子材の構成を説明する図であって、（ａ）は平面図、（ｂ）は正面図である。
【図３】格子材の上端を支持させるブラケットの構成を示した斜視図である。
【図４】ブラケットの取り付け工程を説明するための庇部の下面図である。
【図５】ブラケットの取り付け工程を説明するための側面図である。
【図６】格子材の柱部の取り付け工程を説明する図であって、（ａ）は柱部の上端をブラケットの取付部に挿入する工程を示した説明図、（ｂ）は柱部の上端をブラケットに固定する工程を示した説明図である。
【図７】ブラケットに柱部が固定された状態を示した庇部の下面図である。
【図８】庇部に柱部を取り付けた状態を説明するための斜視図である。
【図９】柱部の下部周辺の構成を説明するための側面図である。
【図１０】図９のＡ−Ａ矢視方向で見た断面図である。
【図１１】実施例の玄関ポーチとキャンチバルコニーを備えた住宅の構成を説明する斜視図である。
【発明を実施するための形態】
【００１６】
以下、本発明の実施の形態について図面を参照して説明する。図１は、本実施の形態の張出下空間の構造としての玄関ポーチ２を備えた建物としての住宅１０の構成を示した斜視図である。
【００１７】
まず、図１を参照しながら住宅１０の構成から説明すると、このような住宅１０は、例えば複数の建物ユニットを上下左右に連結して構成される建物本体１と、一階の隅部に外部に突出して設けられる玄関ポーチ２とを備えたユニット建物である。
【００１８】
この玄関ポーチ２は、建物本体１の外壁１１から庇状に張り出される張出部としての庇部３と、庇部３の一側を下方から支持させる支柱４Ａ，４Ｂと、一方の支柱４Ａが配置された隅部を隠すように配置される化粧材としての格子材５と、支柱４Ａ，４Ｂを立設させる基盤面としての玄関土間２１とから主に構成される。
【００１９】
この庇部３は、例えば枠体と面材としての屋根面とによって構成することができる。本実施の形態で説明する庇部３は、建物本体１から玄関土間２１の上面と平行に張り出されている。例えば、建物本体１が床梁と天井梁と柱とをボックス状に接合して形成されるラーメン構造体を構造部材としている場合、庇部３の鋼製枠体を２階の床梁と柱の下端に連結させることができる。
【００２０】
一方、庇部３の下面３ａに上端が支持される化粧材は、上下方向に延設される長尺状の部材であって、例えば格子材５や壁材などの様々な外観の部材を使用することができる。
【００２１】
図２に示した格子材５は、両側縁に配置される柱部５１，５１と、柱部５１，５１間に格子状に配置される格子部５２と、柱部５１に格子部５２を取り付けるための取付金具５３，・・・とによって主に構成される。
【００２２】
柱部５１は、図２（ａ）に示すように、格子部５２の縦材５２ｂよりも断面が大きな剛性の高い角型鋼管によって形成される。そして、この柱部５１の上端５１ａが、庇部３の下面３ａに支持されることになる。
【００２３】
また、図２（ｂ）に示すように、柱部５１の下部には脚部５１ｂが設けられる。この脚部５１ｂは、柱部５１本体からの突出量を調整することができる。すなわち、脚部５１ｂと柱部５１本体との重なっている部分が高さ調整機構としてのスライド部５１ｃとなる。
【００２４】
一方、格子部５２は、柱部５１，５１間方向（横方向）に一定の間隔で配置される複数の縦材５２ｂ，・・・と、それらの縦材５２ｂ，・・・の背面側（玄関ドア側）に縦材５２ｂの直交方向（横方向）に向けて配置される横材５２ａ，５２ａとによって主に構成される。
【００２５】
縦材５２ｂ，・・・は、上下方向に間隔を置いて配置された横材５２ａ，５２ａに固定される。そして、柱部５１，５１に取り付けられた取付金具５３，・・・に、横材５２ａ，５２ａの両端がそれぞれ固定される。
【００２６】
図３は、格子材５の柱部５１，５１の上端５１ａ，５１ａを支持させるための取付部材としてのブラケット６の斜視図である。ブラケット６は、庇部３の下面３ａに当接させる固定片６１と、その固定片６１から垂下される垂下片６２と、その垂下片６２から水平方向に突出される取付部６３とによって主に構成される。
【００２７】
固定片６１は、六角形板状に形成されて長穴６１ａと丸穴６１ｂとが設けられる。長穴６１ａは、取付部６３の突出方向に直交する方向が長手方向となる。そして、垂下片６２には、長穴６１ａの長手方向と略平行となる垂下面が形成される。
【００２８】
また、取付部６３には、垂下片６２の両側縁から垂下面に略直交する方向に突出される一対の取付側面６３ａ，６３ａが形成される。すなわち、垂下片６２を挟んで略平行に上下方向に広がる側面となる取付側面６３ａ，６３ａが形成される。
【００２９】
この取付側面６３ａは、垂下片６２側が上辺となる台形状に形成される。また、取付側面６３ａの下端面６３ｄは、垂下片６２から突出する方向に向けて下がる傾斜面となる。
【００３０】
さらに、取付側面６３ａには、複数の穴（６３ｂ、６３ｃ）が設けられる。例えば、取付側面６３ａの上部に設けられる比較的大きな一対の穴は、柱部５１の上端５１ａ開口を塞ぐ蓋を固定するためのキャップ用穴６３ｃとなる。
【００３１】
一方、その下に設けられる複数の穴は、取付側面６３ａと柱部５１とを接合するためのビス穴６３ｂ，・・・となる。ここではビス穴６３ｂ，・・・を２段、２列に設けている。
【００３２】
図４は、ブラケット６の取り付け工程を説明する図である。まず、長穴６１ａを使って仮止めを行い、図４の矢印方向に移動させて平面位置の微調整を行う。
【００３３】
そして、平面位置の調整が終了した後に、図５に示すように木ネジ６１ｃを丸穴６１ｂにねじ込んで固定を行うとともに、長穴６１ａの木ネジ６１ｃを締め付けて本固定を行う。
【００３４】
図４，５に示すように、ブラケット６は、庇部３の軒先見切３１より少し内側の下面３ａに固定される。このようにして取り付けられたブラケット６は、垂下片６２が庇部３の側面と略平行となり、取付側面６３ａは軒先見切３１方向と上下方向に広がる面となる。また、下端面６３ｄは、軒先見切３１側が低くなるように傾斜する。
【００３５】
このように取付部６３の下端面６３ｄの内側が切れ上がっていると、図６（ａ）に示すように、斜めにした柱部５１の上端５１ａが挿し込み易く、かつ、起こしやすくなる。
【００３６】
柱部５１の上端５１ａには、１列にビス穴５１１，・・・が設けられているのに対し、取付側面６３ａには２列にビス穴６３ｂ，・・・が設けられている。そこで、図６（ｂ）に示すように、取付部６３を内部に収容させた柱部５１を、軒先見切３１側又はその反対方向に移動させて位置調整を行い、取付側面６３ａのいずれかの列のビス穴６３ｂ，６３ｂにビス穴５１１，５１１の位置を合わせてビス５１２，５１２をねじ込む。このように柱部５１とブラケット６との関係においても、位置調整を行うことができる。
【００３７】
また、こうした接合であれば、柱部５１の上端５１ａの内周面と取付側面６３ａとの面どうしを接触させた状態で柱部５１をブラケット６に固定することができる。さらに、図７に示すように、柱部５１の上端５１ａの接合は、ブラケット６の両側の取付側面６３ａ，６３ａとの間で行われる。
【００３８】
このようなブラケット６を介した柱部５１の取り付けは、図７，８に示すように支柱４Ａを挟んだ２箇所と、軒先見切３１に沿って間隔を置いた複数箇所で行われる。
【００３９】
図８は、柱部５１，・・・が取り付けられた状態を、軒先見切３１以外の庇部３を取り除いて図示した斜視図である。この柱部５１の下部の脚部５１ｂは、ブロック５４ｄに固定される。
【００４０】
この脚部５１ｂ周辺の構成の詳細について、図９を参照しながら説明する。柱部５１に隣接する支柱４Ａの下端部４１は、土台４３に下部が埋設されたアンカーボルト４２の上端に固定される。
【００４１】
また、この土台４３に隣接して直方体状のブロック５４ｄが設置される。この土台４３及びブロック５４ｄは、公知の手段によって玄関土間２１の内部に埋設されるため、ブロック５４ｄの支持構造などの図示は省略している。
【００４２】
このブロック５４ｄの上面には、図８に示すように正方形板状のベースプレート５４が固定される。そして、そのベースプレート５４の中央から上方に向けてボルト５４ａが突出される。
【００４３】
このボルト５４ａは、溶接ナット５４ｃを介してベースプレート５４の上面に固着される。また、ボルト５４ａには、一対のナット５４ｂ，５４ｂが装着される。
【００４４】
一方、図９，１０に示すように、柱部５１の脚部５１ｂ下端からボルト５４ａに向けて甲部５１ｄが延設される。この甲部５１ｄをボルト５４ａに装着された一対のナット５４ｂ，５４ｂで挟持させることで、脚部５１ｂをボルト５４ａに固定する。
【００４５】
この下側のナット５４ｂの位置によって脚部５１ｂを固定する高さを調整できるので、このボルト５４ａとナット５４ｂ，５４ｂの組み合わせは、第１の高さ調整機構となる。
【００４６】
脚部５１ｂは、図１０に示すように、四角筒状の柱部５１に収容可能な断面視コ字形に形成されている。この柱部５１と脚部５１ｂとが重なっている範囲においても、高さ調整が可能となる（第２の高さ調整機構）。
【００４７】
そして、所望する高さに調整した後にビス５１２を使って脚部５１ｂに柱部５１を固定する。図８は、すべての柱部５１，・・・を高さ調整してブロック５４ｄ，・・・上に支持させている状態を示している。
【００４８】
このように柱部５１，・・・の支持が完了した後に、柱部５１，・・・の取付金具５３，・・・に格子部５２の横材５２ａ，５２ａの両端をそれぞれ固定していく（図２参照）。
【００４９】
次に、本実施の形態の玄関ポーチ２の作用について説明する。
【００５０】
このように構成された本実施の形態の玄関ポーチ２は、建物本体１から張り出された平板状の庇部３の下面３ａにブラケット６，・・・を固定し、そのブラケット６，・・・に格子材５の上端５１ａを支持させる。そして、格子材５の下部には高さ調整機構としてのスライド部５１ｃやボルト５４ａ・ナット５４ｂが設けられている。
【００５１】
このため、庇部３と玄関土間２１との離隔に多少の施工誤差が生じたとしても、スライド部５１ｃ等で高さを調整することで、優れた外観を創出可能な格子材５や壁材などの化粧材を任意に選択して配置することができる。また、格子材５等の化粧材を取り付けるための支持材を別途、設ける必要がない。
【００５２】
さらに、庇部３の下面３ａに対する固定片６１に長穴６１ａが設けられていれば、ブラケット６の平面位置も微調整することができる。さらに、ブラケット６に取付側面６３ａ，６３ａが形成されていれば、上下方向に延設される格子材５の柱部５１との接触面積を広く確保できるので、安定して格子材５を固定させることができる。
【００５３】
特に、取付部６３に設ける取付側面６３ａ，６３ａを一対にすることによって、１面しか確保できない場合に比べて接触面積が倍増されるので、より強固な接合を行うことができる。
【００５４】
また、取付側面６３ａ，６３ａが設けられる取付部６３の下端面６３ｄを傾斜させることによって、柱部５１の上端５１ａを装着しやすくすることができる。
【００５５】
すなわち、柱部５１は庇部３と玄関土間２１との離隔より少し短い程度の長尺材であるうえに、上端５１ａの内部に取付部６３を収容させるため、ブラケット６に装着する際には斜めにする必要がある。そして、下端面６３ｄが傾斜していれば、切れ上がっている方向に向けて柱部５１を起こしても上端５１ａの内周面と下端面６３ｄとの干渉が起きず、容易に柱部５１を直立させることができる。
【００５６】
また、図１に示すように、玄関ポーチ２の出隅部に、格子材５を平面視Ｌ字状に配置にすることで、玄関ポーチ２内の明るさを確保したままで、玄関ドアを開けたときの目隠しにすることができる。
【００５７】
さらに、格子材５の格子部５２の下端を玄関土間２１から離隔させた構造とすることで、格子部５２の下端付近に埃や塵が溜まっても簡単に除去できるので掃除が容易になる。
【００５８】
また、格子部５２の下端が玄関土間２１と接触していなければ、下部が汚れ難いうえに、常に乾燥状態を確保することができるので、格子部５２の汚れや腐蝕を低減することができる。
【実施例】
【００５９】
以下、前記した実施の形態とは別の形態の実施例について、図１１を参照しながら説明する。なお、前記実施の形態で説明した内容と同一乃至均等な部分の説明については、同一用語又は同一符号を付して説明する。
【００６０】
実施例で説明する住宅１０Ａは、玄関ポーチ２Ａに加えてキャンチバルコニー７による張出下空間を備えている。玄関ポーチ２Ａについては、前記実施の形態で説明したのと同様に、張出部としての庇部３Ａと基盤面としての玄関土間２１Ａとの間に、化粧材としての格子材５Ａが配置される。
【００６１】
一方、この住宅１０Ａは、図１１の右側に示すように、２階の外壁１１Ａから庇状に張り出されるキャンチバルコニー７の床を張出部とした張出下空間の構造を備えている。
【００６２】
このキャンチバルコニー７の真下には基盤面としてのテラス土間７１が形成されている。また、キャンチバルコニー７の張出し側の隅角部は、支柱７２によって支持されている。
【００６３】
そして、この支柱７２を覆い隠すように、化粧材としての格子材５Ｂが配置される。この格子材５Ｂは、キャンチバルコニー７の下面７ａとテラス土間７１の上面との間に配置される。
【００６４】
このようにキャンチバルコニー７の下方に形成される張出下空間においても、優れた外観を創出可能な格子材５Ｂを容易に配置することができる。なお、他の構成及び作用効果については、前記実施の形態と略同様であるので説明を省略する。
【００６５】
以上、図面を参照して、本発明の実施の形態を詳述してきたが、具体的な構成は、この実施の形態又は実施例に限らず、本発明の要旨を逸脱しない程度の設計的変更は、本発明に含まれる。
【００６６】
例えば、前記実施の形態では、柱部５１の下部に２つの高さ調整機構（スライド部５１ｃ、ボルト５４ａ・ナット５４ｂ）を設ける場合について説明したが、これに限定されるものではなく、いずれか一方の高さ調整機構だけでもよい。
【００６７】
また、前記実施の形態又は実施例では、玄関ポーチ２，２Ａ又はキャンチバルコニー７の張出下空間の構造について説明したが、これに限定されるものではなく、基盤面となる玄関土間２１，２１Ａやテラス土間７１上に張り出された２階居室の床部を張出部とすることもできる。さらに、集合住宅の２階廊下下に形成される張出下空間の構造にも、本発明を適用することができる。
【符号の説明】
【００６８】
１０，１０Ａ  住宅（建物）
２，２Ａ    玄関ポーチ（張出下空間の構造）
２１        玄関土間（基盤面）
３，３Ａ    庇部（張出部）
３ａ        下面
４Ａ，４Ｂ  支柱
５，５Ａ，５Ｂ  格子材（化粧材）
５１ａ      上端
５１ｂ      脚部
５１ｃ      スライド部
５２        格子部
５４ａ      ボルト
５４ｂ      ナット
６          ブラケット
６１        固定片
６１ａ      長穴
６１ｂ      丸穴
６２        垂下片
６３        取付部
６３ａ      取付側面
６３ｄ      下端面
７          キャンチバルコニー（張出部）
７ａ        下面
７１        テラス土間（基盤面）
７２        支柱
【図１】
2014070473.tif 000003
【図２】
2014070473.tif 000004
【図３】
2014070473.tif 000005
【図４】
2014070473.tif 000006
【図５】
2014070473.tif 000007
【図６】
2014070473.tif 000008
【図７】
2014070473.tif 000009
【図８】
2014070473.tif 000010
【図９】
2014070473.tif 000011
【図１０】
2014070473.tif 000012
【図１１】
2014070473.tif 000013